(57)【要約】【課題】一定の通過帯域を保持しながら高次モードのスプリアスを抑制することのできる帯域通過フィルタを提供する。【解決手段】内部に矩形導波路を有し、一の内壁から延設されて非対称の誘導性窓を形成する複数の仕切壁１２が一体に形成され、内壁に相対向する面が開放された本体１１と、仕切壁１２から離間した位置に配置され、誘導性窓に突出する長さによって導波路の伝搬周波数及び結合度を調整する周波数調整ビス１４及び結合度調整ビス１３と、誘導性窓部に、内壁に対して平行に延設された少なくとも１つの柱状部１６と、本体１１の開放面を塞ぐカバー１５とを備え、カバー１５と少なくとも１つの柱状部１６とが非接触である帯域通過フィルタ。柱状部１６の横断面を略々円形にすることにより、本体１１に容易に圧入することができ、帯域通過フィルタの製造が容易となる。【選択図】  図１
2005012731.tif 000002
【特許請求の範囲】
【請求項１】
内部に矩形導波路を有し、一の内壁から延設されて非対称の誘導性窓を形成する複数の仕切壁が一体に形成され、前記内壁に相対向する面が開放された本体と、
前記仕切壁から離間した位置に配置され、前記誘導性窓に突出する長さによって前記導波路の伝搬周波数及び結合度を調整する周波数調整ビス及び結合度調整ビスと、
前記誘導性窓部に、前記内壁に対して平行に延設された少なくとも１つの柱状部と、
前記本体の開放面を塞ぐカバーとを備え、
該カバーと前記少なくとも１つの柱状部とが非接触であることを特徴とする帯域通過フィルタ。
【請求項２】
前記柱状部の横断面が略々円形であることを特徴とする請求項１記載の帯域通過フィルタ。
【発明の詳細な説明】
【０００１】
【発明の属する技術分野】
本発明は、帯域通過フィルタに関し、特に、矩形導波管と非対称構造の導体壁とを備えた帯域通過フィルタに関する。
【０００２】
【従来の技術】
従来、帯域通過フィルタには、矩形導波管をその底面から適当な長さで仕切ることによって誘導性窓を形成し、フィルタとして動作させるものが提案されている（例えば、特許文献１参照）。
【０００３】
この帯域通過フィルタは、図３に示すように、一側面を開口とした矩形導波路３９に、非対称の誘導性窓４０を形成する仕切壁３２が帯域周波数に応じて所定間隔で複数一体形成されてなる本体３１と、矩形導波路３９の開口面を塞ぐようにして接合されるカバー３５とを備え、矩形導波路３９の伝搬周波数を調整する周波数調整ビス３７を仕切壁３２間の中間の位置に設け、結合度を調整する結合度調整ビス３８をカバー３５から仕切壁３２に向かって設けている。
【０００４】
【特許文献１】
特許第３０２５９３０号公報
【０００５】
【発明が解決しようとする課題】
上記従来の帯域通過フィルタにおいては、一定の通過帯域を保持しながら周波数を変化させる場合には、周波数調整ビス３７及び結合度調整ビス３８を挿入するが、導体壁を非対称に形成しているため、導波管内に非対称な電磁界分布が生じ、ＴＥ２０１モードが高次モードのスプリアスとして発生するという問題があった。
【０００６】
また、周波数調整ビス３７の挿入量が大きくなると、共振周波数は低くなるが、通過帯域幅も狭くなり、通過帯域幅を保持するためには、結合度調整ビス３８を挿入する必要がある。そして、これらの調整ビス３７、３８の挿入量が大きくなると、ＴＥ２０１モードの共振周波数よりも高い周波数で多数のスプリアスが発生するという問題が発生する。
【０００７】
そこで、本発明は、上記従来の帯域通過フィルタにおける問題点に鑑みてなされたものであって、一定の通過帯域を保持しながら高次モードのスプリアスを抑制することのできる帯域通過フィルタを提供することを目的とする。
【０００８】
【課題を解決するための手段】
上記目的を達成するため、本発明は、帯域通過フィルタであって、内部に矩形導波路を有し、一の内壁から延設されて非対称の誘導性窓を形成する複数の仕切壁が一体に形成され、前記内壁に相対向する面が開放された本体と、前記仕切壁から離間した位置に配置され、前記誘導性窓に突出する長さによって前記導波路の伝搬周波数及び結合度を調整する周波数調整ビス及び結合度調整ビスと、前記誘導性窓部に、前記内壁に対して平行に延設された少なくとも１つの柱状部と、前記本体の開放面を塞ぐカバーとを備え、該カバーと前記少なくとも１つの柱状部とが非接触であることを特徴とする。
【０００９】
そして、本発明によれば、誘導性窓部に、内壁に対して平行に延設された少なくとも１つの柱状部を備えるため、高次モードのスプリアスを抑制しつつ、通過帯域幅を調整することができる。また、これに加え、柱状部とカバーとが非接触であるため、製造が容易となる。
【００１０】
前記帯域通過フィルタにおいて、前記柱状部の横断面が略々円形とすることができる。これによって、柱状部を本体に容易に圧入することができ、製造がさらに容易となる。
【００１１】
【発明の実施の形態】
次に、本発明の実施の形態について図面を参照しながら詳細に説明する。
【００１２】
図１及び図２は、本発明にかかる帯域通過フィルタの一実施の形態を示し、この帯域通過フィルタは、大別して、本体１１と、仕切壁１２と、結合度調整ビス１３と、周波数調整ビス１４と、カバー１５と、柱状部１６とで構成される。
【００１３】
本体１１は、内部に矩形導波路を有し、内壁に一体に複数の仕切壁１２が配置され、非対称の誘導性窓を形成する。内壁に相対向する面は、開放されている。
【００１４】
結合度調整ビス１３及び周波数調整ビス１４は、仕切壁１２から離間した位置に配置され、誘導性窓に突出する長さによって導波路の伝搬周波数及び結合度を調整する。
【００１５】
柱状部１６は、図１及び図２に示した実施の形態では、誘導性窓部に、本体１１の仕切壁１２が一体に形成された内壁に対して平行に２本配置されているが、少なくとも１本設ける必要がある。また、柱状部１６の横断面は、本体１１に圧入し易いように、横断面が円形であり、全体として円柱状に形成されているが、必ずしも横断面が円形でなくともよく、円滑な電波の反射を妨げない形状であればよい。
【００１６】
カバー１５は、本体１１の開放面を塞ぐために設けられ、このカバー１５は、柱状部１６と非接触である。
【００１７】
上述のように、誘導性窓部に柱状部１６を設けることにより、非対称型帯域通過フィルタの場合、誘導性窓と仕切壁１２に挟まれた方形共振器の構成によって発生していたＴＥ２０１モードが伝搬できなくなり、高次モードでのスプリアスが抑制される。
【００１８】
また、柱状部１６を誘導性窓部に設けることによって、誘導性窓での電磁界分布は、基本モードの管内波長に比較して極めて短い柱状部１６とカバー１５との間には生じないため、対称型帯域通過フィルタと同様の特性を得ることができる。
【００１９】
また、本発明のような本体１１とカバー１５とを有する構成では、従来、仕切壁１２とカバー１５とを接触させる必要があり、対称型帯域通過フィルタを実現することは困難であったが、本発明による柱状部１６は、カバー１５に接触する必要がないため、カバー１５の接触を考慮することなく、容易に設計し、製造することができる。
【００２０】
図４は、従来例としての特許文献１に記載の構造（柱状部なし）と、本発明にかかる構造（柱状部２本）とでフィルタ特性を比較したグラフである。同図から明らかなように、本発明にかかる構成によって、同じ帯域通過フィルタとしての特性を維持しながら、高次モードでは、柱状部１６によってスプリアスを抑制していることが判る。
【００２１】
尚、柱状部１６は、抑制したいスプリアスのレベルに応じて、直径や本数を変えることができる。また、柱状部１６を設置する位置は、共振器の中央へ寄るに従って高次モードを抑制する効果が増す。
【００２２】
【発明の効果】
以上説明したように、本発明にかかる帯域通過フィルタによれば、一定の通過帯域を保持しながら高次モードのスプリアスを抑制することができるとともに、製造も容易な帯域通過フィルタを提供することが可能となる。
【図面の簡単な説明】
【図１】本発明にかかる帯域通過フィルタの一実施形態を示す分解斜視図である。
【図２】図１の帯域通過フィルタの平面図である。
【図３】従来の帯域通過フィルタの一例を示す分解斜視図である。
【図４】本発明にかかる帯域通過フィルタと従来の帯域通過フィルタの特性を比較したグラフである。
【符号の説明】
１１        本体
１２        仕切壁
１３        結合度調整ビス
１４        周波数調整ビス
１５        カバー
１６        柱状部
【図１】
2005012731.tif 000003
【図２】
2005012731.tif 000004
【図３】
2005012731.tif 000005
【図４】
2005012731.tif 000006